【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
被検体に、第一の波長を有する第一の光と、第二の波長を有する第二の光とを照射する光照射手段と、
前記第一の光と前記第二の光の照射に起因して前記被検体から発生した音響波を受信することにより電気信号に変換する音響波受信手段と、
前記第一の光に対応する第一の電気信号と、前記第二の光に対応する第二の電気信号とに基づいて、第一の画像データを構成する酸素飽和度分布を取得する酸素飽和度取得手段と、
前記第一の電気信号または前記第二の電気信号に基づいて、酸素飽和度分布とは異なる情報を表す第二の画像データを取得する画像データ取得部と、
前記第二の画像データに基づいて関心領域を設定する関心領域設定手段と、
設定された前記関心領域に含まれる酸素飽和度分布の統計情報を取得する統計情報取得手段と、
表示手段に前記統計情報を表示させる表示制御手段と、
を有することを特徴とする、被検体情報取得装置。
【請求項２】
前記統計情報取得手段は、前記統計情報として、前記関心領域に含まれる酸素飽和度分布のヒストグラムを取得し、
前記表示制御手段は、前記表示手段に前記ヒストグラムを表示させる
ことを特徴とする、請求項１に記載の被検体情報取得装置。
【請求項３】
前記統計情報取得手段は、前記ヒストグラムの単峰性または多峰性を示す値をさらに取得し、
前記表示制御手段は、前記ヒストグラムと、前記ヒストグラムの単峰性または多峰性を示す値と、を前記表示手段に表示させる
ことを特徴とする、請求項２に記載の被検体情報取得装置。
【請求項４】
前記統計情報取得手段は、前記ヒストグラムの単峰性または多峰性を示す値として、前記ヒストグラムが単峰性である確率および前記ヒストグラムが多峰性である確率を取得する
ことを特徴とする、請求項３に記載の被検体情報取得装置。
【請求項５】
前記統計情報取得手段は、前記ヒストグラムの歪度または尖鋭度を取得し、
前記表示制御手段は、前記ヒストグラムと、前記ヒストグラムの歪度または尖鋭度を前記表示手段に表示させる
ことを特徴とする、請求項２から４のいずれか１項に記載の被検体情報取得装置。
【請求項６】
前記関心領域設定手段は、前記第二の画像データに基づいて、前記関心領域とは異なる関心領域を再設定し、
前記統計情報取得手段は、前記関心領域設定手段により再設定された関心領域に含まれる前記酸素飽和度分布の統計情報を再取得し、
前記表示制御手段は、前記統計情報取得手段により再取得された前記統計情報を前記表示手段に表示させる
ことを特徴とする、請求項１から５のいずれか１項に記載の被検体情報取得装置。
【請求項７】
前記第二の画像データは、吸収係数分布を表す画像データである
ことを特徴とする請求項１から６のいずれか１項に記載の被検体情報取得装置。
【請求項８】
前記関心領域設定手段は、前記第二の画像データに基づいて、互いに異なる第一の関心領域と第二の関心領域を設定し、
前記統計情報取得手段は、前記第一の関心領域に含まれる酸素飽和度分布に対応する第一の統計情報と、前記第二の関心領域に含まれる酸素飽和度分布に対応する第二の統計情報と、を取得し、
前記表示制御手段は、前記第一の関心領域に対応する前記第一の統計情報と、前記第二の関心領域に対応する前記第二の統計情報と、を前記表示手段に表示させる
ことを特徴とする、請求項１から７のいずれか１項に記載の被検体情報取得装置。
【請求項９】
前記関心領域設定手段は、前記第二の画像データの全領域を前記第一の関心領域として設定し、
前記第二の画像データの一部の領域を前記第二の関心領域として設定する
ことを特徴とする、請求項８に記載の被検体情報取得装置。
【請求項１０】
前記表示制御手段は、前記関心領域に含まれる前記酸素飽和度分布の前記統計情報を、前記第二の画像データに付して前記表示手段に表示させる
ことを特徴とする請求項１から９のいずれか１項に記載の被検体情報取得装置。
【請求項１１】
前記表示制御手段は、前記関心領域に含まれる前記酸素飽和度分布の前記統計情報を、前記酸素飽和度分布に付して前記表示手段に表示させる
ことを特徴とする、請求項１から９のいずれか１項に記載の被検体情報取得装置。
【請求項１２】
前記統計情報取得手段は、
前記関心領域に含まれ、かつ、吸収体の像の部分に対応する前記酸素飽和度分布を抽出し、当該抽出された前記酸素飽和度分布の統計情報を取得する
ことを特徴とする、請求項１から１１のいずれか１項に記載の被検体情報取得装置。
【請求項１３】
前記統計情報取得手段は、前記第二の画像データを用いて前記吸収体の像の部分に対応する前記酸素飽和度分布を抽出する
ことを特徴とする、請求項１２に記載の被検体情報取得装置。
【請求項１４】
前記酸素飽和度取得手段は、三次元の前記酸素飽和度分布を取得し、
前記関心領域設定手段は、三次元の前記関心領域を設定し、
前記表示制御手段は、三次元の前記酸素飽和度分布と、三次元の前記関心領域に含まれる前記酸素飽和度分布の前記統計情報とを前記表示手段に表示させる
ことを特徴とする、請求項１から１３のいずれか１項に記載の被検体情報取得装置。
【請求項１５】
第一の波長を有する第一の光を照射することで発生した音響波に対応する第一の受信信号と、第二の波長を有する第二の光を照射することで発生した音響波に対応する第二の受信信号と、を用いて画像を表示する表示方法であって、
前記第一の受信信号または前記第二の受信信号に基づいて得られた画像データを表示するステップと、
前記画像データに対して関心領域を設定するステップと、
前記関心領域に含まれる酸素飽和度分布の統計情報を表示するステップと、
を含み、
前記画像データは、酸素飽和度分布とは異なるデータを表すものである
ことを特徴とする表示方法。
【請求項１６】
前記関心領域に含まれる酸素飽和度分布の前記統計情報を、前記第二の画像データに付して表示させる
ことを特徴する、請求項１５に記載の表示方法。
【請求項１７】
前記関心領域に含まれる酸素飽和度分布の前記統計情報を、前記酸素飽和度分布に付して表示させる
ことを特徴する、請求項１５に記載の表示方法。
【請求項１８】
請求項１５から１７のいずれか１項に記載の表示方法の各ステップをコンピュータに実行させるためのプログラム。
【手続補正２】
【補正対象書類名】明細書
【補正対象項目名】００１５
【補正方法】変更
【補正の内容】
【００１５】
上記課題を解決するための、本発明に係る被検体情報取得装置は、
被検体に、第一の波長を有する第一の光と、第二の波長を有する第二の光とを照射する光照射手段と、前記第一の光と前記第二の光の照射に起因して前記被検体から発生した音響波を受信することにより電気信号に変換する音響波受信手段と、前記第一の光に対応する第一の電気信号と、前記第二の光に対応する第二の電気信号とに基づいて、第一の画像データを構成する酸素飽和度分布を取得する酸素飽和度取得手段と、前記第一の電気信号または前記第二の電気信号に基づいて、酸素飽和度分布とは異なる情報を表す第二の画像データを取得する画像データ取得部と、前記第二の画像データに基づいて関心領域を設定する関心領域設定手段と、設定された前記関心領域に含まれる酸素飽和度分布の統計情報を取得する統計情報取得手段と、表示手段に前記統計情報を表示させる表示制御手段と、を有することを特徴とする。
【手続補正３】
【補正対象書類名】明細書
【補正対象項目名】００１６
【補正方法】変更
【補正の内容】
【００１６】
また、本発明に係る表示方法は、
第一の波長を有する第一の光を照射することで発生した音響波に対応する第一の受信信
号と、第二の波長を有する第二の光を照射することで発生した音響波に対応する第二の受信信号と、を用いて画像を表示する表示方法であって、前記第一の受信信号または前記第二の受信信号に基づいて得られた画像データを表示するステップと、前記画像データに対して関心領域を設定するステップと、前記関心領域に含まれる酸素飽和度分布の統計情報を表示するステップと、を含み、前記画像データは、酸素飽和度分布とは異なるデータを表すものであることを特徴とする。
【手続補正４】
【補正対象書類名】明細書
【補正対象項目名】発明の名称
【補正方法】変更
【補正の内容】
【発明の名称】被検体情報取得装置および表示方法